(57)【要約】【課題】切替弁の下流側に配置される通水路での水の流れの偏りを抑制し、左右対称かつ収束距離の長い滝状の吐水を実現できる吐水装置を提供すること。【解決手段】吐水装置１は、細長の吐水口２１を有する本体１０と、本体１０の内部に形成される通水入口６１と吐水口２１を接続する通水路４０と、本体１０の内部における通水路４０の上流側に配置され、通水入口６１を開閉する切替弁部５１と、通水路４０における通水入口６１に対向する位置に配置される撹拌壁６５と、を備える。【選択図】図６
2018115526.tif 000002
【特許請求の範囲】
【請求項１】
細長の吐水口を有する本体と、
前記本体の内部に形成される通水入口と前記吐水口を接続する通水路と、
前記本体の内部における前記通水路の上流側に配置され、前記通水入口を開閉する切替部と、
前記通水路における前記通水入口に対向する位置に配置される壁状部材と、
を備える吐水装置。
【請求項２】
前記通水路における前記壁状部材の下流側に配置され、前記通水路を通過する水の流速を減衰させる流速減衰部材を更に備える請求項１に記載の吐水装置。
【請求項３】
前記流速減衰部材は、前記通水路の幅方向の略全域に壁状に形成される請求項２に記載の吐水装置。
【請求項４】
前記壁状部材及び前記流速減衰部材は、その何れか一方が前記通水路の底面から上方に延びるように立設し、他方が前記通水路の天井壁から垂下し、
前記壁状部材と前記流速減衰部材の一部が対向する又は前記壁状部材と前記流速減衰部材のそれぞれの先端の高さが同じ位置に位置するように形成される請求項２又は３に記載の吐水装置。
【請求項５】
前記壁状部材は、前記通水路の底面から上方に延びるとともに前記通水路の幅方向両側に位置する内側壁との間に幅方向の隙間が形成される請求項１から４の何れかに記載の吐水装置。
【発明の詳細な説明】
【技術分野】
【０００１】
本発明は、細長の吐水口を有する吐水装置に関する。
【背景技術】
【０００２】
従来、細長の吐水口から滝状に吐水する吐水装置が知られている。この種の吐水装置を開示するものとして例えば特許文献１や特許文献２がある。特許文献１には、内部に形成される水溜室の後壁に流入口を開設し、該流入口に相対する障害体を該水溜室の天井壁から垂下する吐水金具について記載されている。該水溜室の前壁には幅広の堰部を形成し、その先に扁平幅広の吐水口が形成されている。特許文献２には、配管から湯水が供給される本体の下面に細長の吐水口が形成される吐水部材を固定し、該吐水口から滝状に湯水を吐水する構成の吐水装置について記載されている。
【先行技術文献】
【特許文献】
【０００３】
【特許文献１】公開実用昭和５９−２７２７１号公報
【特許文献２】特開２０１５−１７５１６６号公報
【発明の概要】
【発明が解決しようとする課題】
【０００４】
ところで、特許文献２のように、水の経路を切り替える切替弁の直後に吐水口を有する通水路が配置されるレイアウトの吐水装置では、入口から通水路に導入された水が偏った状態で吐水口に流れると、吐水口から吐水される滝の形状が崩れて収束距離も短くなってしまう。この点、特許文献２では、吐水装置の内部に障害体や緩衝部材を配置して流れをコントロールしているものの、吐水口に到達する水の流れの偏りを抑制し、より美しい形状の滝状吐水を実現するという点で改善の余地があった。
【０００５】
本発明は、切替弁の下流側に配置される通水路での水の流れの偏りを抑制し、左右対称かつ収束距離の長い滝状の吐水を実現できる吐水装置を提供することを目的とする。
【課題を解決するための手段】
【０００６】
本発明は、細長の吐水口（例えば、後述の吐水口２１）を有する本体（例えば、後述の本体１０）と、前記本体の内部に形成される通水入口（例えば、後述の通水入口６１）と前記吐水口を接続する通水路（例えば、後述の通水路４０）と、前記本体の内部における前記通水路の上流側に配置され、前記通水入口を開閉する切替部（例えば、後述の切替弁部５１）と、前記通水路における前記通水入口に対向する位置に配置される壁状部材（例えば、後述の撹拌壁６５）と、を備える吐水装置（例えば、後述の吐水装置１）に関する。
【０００７】
前記通水路における前記壁状部材の下流側に配置され、前記通水路を通過する水の流速を減衰させる流速減衰部材（例えば、後述の流速減衰壁６６）を前記吐水装置は更に備えることが好ましい。
【０００８】
前記流速減衰部材は、前記通水路の幅方向の略全域に壁状に形成されることが好ましい。
【０００９】
前記壁状部材及び前記流速減衰部材は、その何れか一方が前記通水路の底面（例えば、後述の底面６２）から上方に延びるように立設し、他方が前記通水路の天井壁（例えば、後述の天井壁６３）から垂下し、前記壁状部材と前記流速減衰部材の一部が対向する又は前記壁状部材と前記流速減衰部材のそれぞれの先端の高さが同じ位置に位置するように形成されることが好ましい。
【００１０】
前記壁状部材は、前記通水路の底面から上方に延びるとともに前記通水路の幅方向両側に位置する内側壁（例えば、後述の内側壁６４）との間に幅方向の隙間が形成されることが好ましい。
【発明の効果】
【００１１】
本発明の吐水装置によれば、切替弁の下流側に配置される通水路での水の流れの偏りを抑制し、左右対称かつ収束距離の長い滝状の吐水を実現できる。
【図面の簡単な説明】
【００１２】
【図１】本発明の一実施形態に係る吐水装置を下から見た斜視図である。
【図２】本実施形態の吐水装置の平面図である。
【図３】本実施形態の吐水装置の正面図である。
【図４】本実施形態の吐水装置の内部の様子を示す斜視図である。
【図５】本実施形態の吐水装置の側面断面図である。
【図６】本実施形態の吐水装置の通水路を流れる湯水の様子を模式的に示す平面図である。
【発明を実施するための形態】
【００１３】
以下、本発明の好ましい実施形態である吐水装置１について図面を参照しながら説明する。本実施形態の吐水装置１は、滝状の吐水を行うものであり、浴室等に用いられるものである。
【００１４】
図１から図３に示すように、吐水装置１は、本体１０と、吐水プレート２０と、切替ハンドル１１と、温度調節ハンドル１２と、を備える。
【００１５】
本体１０には、給湯配管１３及び給水配管１４を通じて湯水が供給される。給湯配管１３及び給水配管１４は、本体１０の背面側に接続されており、周面を覆う配管カバー１５がそれぞれ設けられる。
【００１６】
本体１０の背面側であって給湯配管１３及び給水配管１４の間にはシャワー部（図示省略）に湯（高温の水）又は水を供給するためのシャワー配管１６が設けられる。本実施形態のシャワー配管１６は、本体１０の中央に配置されている。
【００１７】
吐水プレート２０は、本体１０の正面側下部に固定されている。吐水プレート２０には細長の吐水口２１が形成されている。本体１０に供給された湯水は、吐水口２１を出口として滝状（膜状）に吐水される。
【００１８】
切替ハンドル１１は、給水先を吐水装置１の吐水口２１か上述のシャワー部のいずれかに切り替えるためのものであり、本体１０の一側の側面に配置されている。吐水装置１の使用者は、この切替ハンドル１１によって、湯水の出し止めや吐水される水量の調節を行う。
【００１９】
温度調節ハンドル１２は、吐水される湯水の温度を調節するためのものであり、本体１０の切替ハンドル１１が配置された面とは反対の側面に配置される。使用者は、温度調節ハンドル１２によって湯水の温度調節を行う。
【００２０】
次に、吐水装置１の内部構造について説明する。図４は、本実施形態の吐水装置１の内部の様子を示す斜視図である。図５は、本実施形態の吐水装置１の側面断面図である。
【００２１】
本体１０の内部背面側には切替弁機能及び温度調節機能が一体となった切替弁温度調節ユニット５０が設けられる。切替弁温度調節ユニット５０は、本体１０に内挿される略筒状のケーシング４５と、水の経路及び水量を切り替える切替弁部５１と、温度調節を行う温度調節部５２と、を備える。切替弁部５１と温度調節部５２は、ケーシング４５の内側で略同軸上に位置しており、切替弁温度調節ユニット５０は全体として略筒状に形成される。本実施形態では、切替弁部５１はシャワー部のシャワー配管１６の位置に応じて本体１０の内部中央に位置する。また、切替弁部５１は、本体１０の内部中央から切替ハンドル１１が配置される側に本体１０の幅方向（左右方向）に延びるように構成されている。
【００２２】
温度調節部５２には温度調節ハンドル１２が連結されている。温度調節ハンドル１２の回転操作によって吐水の温度調節が行われる。切替弁部５１には切替ハンドル１１が連結されている。切替ハンドル１１の回転操作により、温度調節部５２によって温度調節された湯水が、吐水口２１又はシャワー配管１６に送られるとともにその吐水流量が調節される。
【００２３】
切替弁温度調節ユニット５０の正面側には、湯水を吐水口２１まで案内する部屋状の通水路４０が形成される。通水路４０は、その背面側に位置する内壁に切替弁部５１からの湯水が導入される通水入口６１が形成されている。本実施形態の通水入口６１は、吐水装置１の本体１０の幅方向中央よりも右側（切替ハンドル１１側）に位置している。なお、シャワー配管１６に連通するシャワー入口（図示省略）は、湯水を集めやすい幅方向中央に位置しており、通水入口６１は該シャワー入口よりも切替ハンドル１１側に位置するレイアウトになっている。
【００２４】
切替弁部５１によって湯水の経路が吐水口２１側に切り替えられると、本体１０の上流側から通水入口６１を通じて湯水が通水路４０に流れ込む。通水路４０を通った後、吐水口２１から滝状に外部に吐出される。
【００２５】
本実施形態の通水路４０は、通水入口６１に接続される第１通水室６０と、第１通水室６０の下流側に位置し、吐水プレート２０が固定される第２通水室７０と、を備える。
【００２６】
第１通水室６０は、通水入口６１の幅ｗ１よりも広い流路となっている。第１通水室６０は、全体として下流側に進むにつれて流路の幅が広がる形状となっている。第１通水室６０には、上流側から下流側の順に撹拌壁６５、流速減衰壁６６が配置される。また、第１通水室６０の下流側端部には、第１通水室６０と第２通水室７０を区画する左右一対の区画壁６７が設けられる。
【００２７】
撹拌壁６５は、通水入口６１に対向する位置に形成される。撹拌壁６５は、その平面部分が通水路４０の幅方向（左右方向）に沿うように、通水路４０の底面６２から上方に延び出ている。図５に示すように、撹拌壁６５の上端部と通水路４０の天井部分である天井壁６３との間には隙間が形成される。
【００２８】
本実施形態の撹拌壁６５は、通水路４０の左右両側の内側壁６４との間に隙間ができるように第１通水室６０（通水路４０）の幅よりも狭く、かつ、通水入口６１の開口幅よりも広く形成されている。
【００２９】
流速減衰壁６６は、撹拌壁６５の正面側で天井壁６３から垂れ下がっており、流速減衰壁６６の下端部と底面６２の間には隙間が形成されている。本実施形態の流速減衰壁６６は、通水路４０の幅方向全域にわたっており、左右の内側壁６４が流速減衰壁６６によって接続されている。
【００３０】
本実施形態では、撹拌壁６５の先端と流速減衰壁６６の先端との高さが一致する又は撹拌壁６５と流速減衰壁６６が正面視において重なる（交差する）ように撹拌壁６５と流速減衰壁６６のそれぞれの高さが設定されている。本体１０内部の通水路４０は、側面視においてラビリンス構造のようになっている。
【００３１】
区画壁６７は、左右両側の内側壁６４のそれぞれから通水路４０の幅方向に沿って流路の中央側に延び出ている。区画壁６７は、それぞれ底面６２と天井壁６３とを接続するように通水路４０の上下方向にわたって形成されている。
【００３２】
一側の区画壁６７と他側の区画壁６７の間の隙間が第１通水室６０の第１通水室出口７１となる。本実施形態の第１通水室出口７１の幅ｗ２は、吐水口２１の長手方向の長さｗ３よりも狭くなっている。
【００３３】
第２通水室７０は、第１通水室出口７１の幅及び吐水口２１の長手方向の長さよりも幅広い流路となっている。本実施形態の第２通水室７０は、正面側に進むにつれて幅広な形状となっている。第２通水室７０の下流側端部に、吐水口２１が下向きに開口するように吐水プレート２０が固定されている。また、吐水口２１の長手方向は、第２通水室７０の流路の幅方向に沿っており、湯水が第２通水室７０に流れ込む方向に対して直交する向きとなっている。なお、本実施形態の吐水プレート２０の内側には変形を防止するためのバネ９０が配置される。
【００３４】
図５に示すように、第２通水室７０は、第１通水室６０よりも高い位置に形成されており、第１通水室６０と第２通水室７０の間には段差が生じている。左右一対の区画壁６７は第１通水室６０の底面６２よりも高い第２通水室７０の入口に形成される。
【００３５】
次に、通水入口６１から吐水口２１までの湯水の流れについて説明する。図６は、本実施形態の吐水装置１の通水路４０を流れる湯水の様子を模式的に示す平面図である。図６の矢印に示すように、通水入口６１から通水路４０に流入した湯水は、撹拌壁６５によって左右方向に拡がった後、撹拌壁６５と内側壁６４の間を回り込んで下流側に向かう。
【００３６】
撹拌壁６５によって撹拌された湯水は、流速減衰壁６６に衝突して流速が減衰された後に、流速減衰壁６６の下側を通って下流側に流れる。本実施形態の流速減衰壁６６は、通水路４０の幅方向全域に形成されているので、湯水の流速は幅方向で偏ることなく減速される。
【００３７】
流速減衰壁６６で減速した湯水は、下流側に位置する左右の区画壁６７の間を通って吐水口２１へと向かう。このとき、流速減衰壁６６の下側を通った湯水のうち、左右の内側壁６４に沿って流れる湯水は区画壁６７を内側に回り込むように流れる。図６の矢印に示すように、区画壁６７を回り込んだ湯水は外向きの流れが強くなった状態で吐水口２１から吐出される。区画壁６７によって湯水が外側に案内されることにより、吐水口２１の両端部における湯水の流れが強くなる。滝状に吐水する場合、一般的に幅方向中央の流速が早くなるが、本実施形態の構成によれば吐水口２１の端部で外側に向かう力を増大させることができるので、吐水口２１から吐出される滝の形状の収束距離を長くすることができ、美観に優れた滝状吐水を実現できる。
【００３８】
以上説明した本実施形態は以下のように構成される。
本実施形態の吐水装置１は、細長の吐水口２１を有する本体１０と、本体１０の内部に形成される通水入口６１と吐水口２１を接続する通水路４０と、本体１０の内部における通水路４０の上流側に配置され、通水入口６１を開閉する切替弁部５１と、通水路４０における通水入口６１に対向する位置に配置される撹拌壁６５と、を備える。
【００３９】
これにより、通水入口６１から通水路４０に流れ込んだ湯水は、当該通水入口６１に対向する撹拌壁６５に接触して通水路４０の幅方向に撹拌された状態で下流側に送られるので、湯水の偏りを効果的に抑制できる。
【００４０】
本実施形態のように、シャワー配管１６の配置関係により、通水入口６１が通水路４０の中央からずれている構成では特に有効である。
【００４１】
また、本実施形態の吐水装置１は、通水路４０における撹拌壁６５の下流側に配置され、通水路４０を通過する水の流速を減衰させる流速減衰壁６６を更に備える。
【００４２】
これにより、撹拌壁６５で撹拌された湯水の流速が流速減衰壁６６によって調整できるので、滝の収束距離が長くなるように流速減衰壁６６を構成することで、より美しい滝状の吐水を実現することができる。
【００４３】
また、本実施形態の流速減衰壁６６は、通水路４０の幅方向の略全域に壁状に形成される。
【００４４】
これにより、通水路４０の幅方向で偏りなく流速を減衰させることができるので、通水路４０の幅方向での流速の差を小さくすることができ、吐水口２１まで偏りなく湯水を導くことができる。
【００４５】
また、本実施形態の撹拌壁６５は通水路４０の底面６２から上方に延びるように立設し、流速減衰壁６６が通水路４０の天井壁６３から垂下し、撹拌壁６５と流速減衰壁６６の一部が対向する又は撹拌壁６５と流速減衰壁６６のそれぞれの先端の高さが同じ位置に位置するように形成される。
【００４６】
これにより、吐水口２１に到達するまで水が上下に回り込みながら進むようになり、水の流れの撹拌・均一とともに減速効果をより効果的に作用させることができる。
【００４７】
また、本実施形態の撹拌壁６５は、通水路４０の底面６２から上方に延びるとともに通水路４０の幅方向両側に位置する内側壁６４との間に幅方向の隙間が形成される。
【００４８】
これにより、通水入口６１から通水路４０に流れ込んだ湯水を撹拌壁６５で留まらせることなくスムーズに下流側に導くことができる。
【００４９】
以上、本発明の好ましい実施形態について説明したが、本発明は、上述の実施形態に制限されるものではなく、適宜変更が可能である。
【００５０】
上記実施形態では、通水入口６１が本体１０内部の幅方向中央から外れた位置に形成されているが、通水入口６１が幅方向中央にある構成としてもよい。この構成においても湯水が幅方向に撹拌され、均整のとれた滝の形状を実現できる。
【００５１】
上記実施形態では、撹拌壁６５が底面６２から上方に延び、流速減衰壁６６が天井壁６３から垂下する構成であるが、撹拌壁が天井壁から垂下し、流速減衰壁が底面から上方に延びるように立設する構成としてもよい。
【００５２】
上記実施形態では、流速減衰部材としての流速減衰壁６６は、通水路４０の幅方向の略全域に壁状に形成されているが、この構成に限定されない。例えば、通水入口６１から吐水口２１に至るまでの距離が長くなるように流速減衰部材として複数の柱状部材を配置する構成としてもよい。
【００５３】
上記実施形態では、通水路４０に左右一対の区画壁６７が設けられているが、場合によっては区画壁６７を省略することもできる。
【００５４】
上記実施形態では、吐水口２１が下向きの吐水装置１を例として説明したが、吐水口が横向きの吐水装置にも本発明を適用することができる。
【符号の説明】
【００５５】
１  吐水装置
１０  本体
２１  吐水口
４０  通水路
５１  切替弁部（切替部）
６１  通水入口
６２  底面
６３  天井壁
６４  内側壁
６５  撹拌壁（壁状部材）
６６  流速減衰壁（流速減衰部材）
【図１】
2018115526.tif 000003
【図２】
2018115526.tif 000004
【図３】
2018115526.tif 000005
【図４】
2018115526.tif 000006
【図５】
2018115526.tif 000007
【図６】
2018115526.tif 000008